(57)【特許請求の範囲】
【請求項１】
本体部と、前記本体部の一端にヒンジを介して回動可能に取り付けられ、電子機器の表示面と前記本体部の上面とが対向する閉状態および前記電子機器の表示面と前記本体部の上面とが角度をなす開状態に前記電子機器が装着されると共に、前記電子機器の前記表示面と反対側の背面と、前記本体部の前記上面と反対側の底面とを接続する支持面を有する装着部とを有し、前記装着部に前記電子機器が着脱可能に装着されるドッキング装置であって、
前記装着部は、
前記電子機器に設けられた係合孔に係合するフック部材と、
スライド操作しないときは前記フック部材が前記電子機器の係合孔に係合するロック位置にあり、前記スライド操作により前記フック部材を前記ロック位置から前記係合孔に係合しないアンロック位置にスライド移動する取り外し操作部と、
一端が前記フック部材に接続され、他端に爪部を有し、前記フック部材と連動するフック連動部材と、
前記電子機器が装着されていないとき、前記電子機器が装着される装着面から突出し、弾性部材の付勢力により前記フック連動部材と係止しない第１の高さに押し上げられる係止部材と、
を備え、
前記装着部に前記電子機器が装着され、前記係止部材が前記電子機器からの押圧力により前記弾性部材の付勢力に抗って、前記第１の高さより低い第２の高さに押し下げられた状態で、前記取り外し操作部に対する前記スライド操作により前記フック部材を前記ロック位置から前記アンロック位置にスライド移動させると、前記フック部材と連動する前記フック連動部材がスライド移動して前記フック連動部材の前記爪部と前記係止部材の突起が係止して、前記フック部材をアンロック位置に固定する
ドッキング装置。
【請求項２】
前記電子機器を前記装着部から取り外すと、前記係止部材が前記弾性部材の付勢力により前記第２の高さから前記第１の高さに押し上げられ、それにより、前記フック連動部材の前記爪部と前記係止部材の前記突起が係止されなくなり、前記フック部材は前記ロック位置に戻る、請求項１に記載のドッキング装置。
【請求項３】
前記装着部には前記係止部材とは別の係止部材が更に設けられ、前記係止部材と前記別の係止部材は、前記装着面の中央部に対してほぼ対称に配置されて、
前記別の係止部材は、前記電子機器が装着された状態において、前記取り外し操作部に対する操作が行われた場合でも前記フック連動部材と係合しない、請求項１に記載のドッキング装置。
【請求項４】
前記装着部の前記フック部材と前記係止部材との間における前記装着面から突設され、前記電子機器のガイドピン挿入孔に挿入されるガイドピン部材をさらに備える、請求項１に記載のドッキング装置。
【請求項５】
電子機器が着脱可能に装着されるドッキング装置であって、
本体部と、
前記本体部の一端にヒンジを介して回動可能に取り付けられ、前記電子機器が装着される装着部と、
を備え、
前記装着部は、前記電子機器の表示面と前記本体部の上面とが対向する閉状態において前記電子機器の前記表示面と反対側の背面と、前記本体部の前記上面と反対側の底面とを接続する支持面を有し、
前記支持面は、前記電子機器の表示面と前記本体部の上面とが角度をなす開状態において前記電子機器の背面に接続された第１の面と、前記第１の面に接続された第２の面と、前記第２の面に接続され前記本体部の底面に接続された第３の面とを有し、前記開状態において前記ドッキング装置の載置面と平行に接する前記第２の面は前記ヒンジの回転軸よりも後方に位置している、
ドッキング装置。
【請求項６】
前記支持面の前記第２の面にはクッション部材が設けられている、請求項５に記載のドッキング装置。
【発明の詳細な説明】
【技術分野】
【０００１】
本発明の実施形態は、ドッキング装置に関する。
【背景技術】
【０００２】
近年、タブレット端末の普及に伴い、キーボードやタッチパッド等の入力インタフェースを有するドッキング装置にタブレット端末等の電子機器を装着することにより、ノートパソコンのように使用することが可能なパソコン（いわゆる２ｉｎ１型のパソコン）が開発されている。
【０００３】
従来の２ｉｎ１型パソコンでは、ドッキング装置からタブレット端末を取り外す際、ユーザはＥＪＥＣＴボタンをスライドさせ、ＥＪＥＣＴボタンと連動するフックをアンロック位置にスライド移動させた状態のまま、タブレット端末をドッキング装置から引っ張って取り外す必要があった。即ち、ユーザはタブレット端末を取り外す際、ＥＪＥＣＴボタンをスライドした状態を保持しなければならず、容易にタブレット端末を取り外すことができない場合があった。
【０００４】
また、従来の２ｉｎ１型パソコンでは、タブレット端末が重いために、使用時にドッキング装置に装着されたタブレット端末が後方に転倒するおそれがあった。即ち、例えば、ドッキング装置と所定の角度をなすようにタブレット端末を開いたときや、タブレット端末のタッチパネルを操作してタッチ荷重を加えたときに、タブレット端末が後方に転倒するおそれがあった。このため、従来は、ドッキング装置の後端から引き出し可能なスタンドを設けることでタブレット端末の転倒を回避していた。しかし、当該スタンドが大きいため、２ｉｎ１型パソコンの薄型化や省スペース化の障害となっていた。
【先行技術文献】
【特許文献】
【０００５】
【特許文献１】実開平５−７９６２４号公報
【特許文献２】特開２０１１−６５６１６号公報
【特許文献３】特開平１１−５３０５２号公報
【発明の概要】
【発明が解決しようとする課題】
【０００６】
本発明が解決しようとする課題は、ドッキング装置に装着された電子機器を容易に取り外すことが可能であるとともに、薄型化および省スペース化を妨げることなく当該電子機器の転倒を抑制することが可能なドッキング装置を提供することである。
【課題を解決するための手段】
【０００７】
実施形態に係るドッキング装置は、本体部と、前記本体部の一端にヒンジを介して回動可能に取り付けられ、電子機器の表示面と前記本体部の上面とが対向する閉状態および前記電子機器の表示面と前記本体部の上面とが角度をなす開状態に前記電子機器が装着されると共に、前記電子機器の前記表示面と反対側の背面と、前記本体部の前記上面と反対側の底面とを接続する支持面を有する装着部とを有し、前記装着部に前記電子機器が着脱可能に装着される。前記装着部は、前記電子機器に設けられた係合孔に係合するフック部材と、スライド操作しないときは前記フック部材が前記電子機器の係合孔に係合するロック位置にあり、前記スライド操作により前記フック部材を前記ロック位置から前記係合孔に係合しないアンロック位置にスライド移動する取り外し操作部と、一端が前記フック部材に接続され、他端に爪部を有し、前記フック部材と連動するフック連動部材と、前記電子機器が装着されていないとき、前記電子機器が装着される装着面から突出し、弾性部材の付勢力により前記フック連動部材と係止しない第１の高さに押し上げられる係止部材とを備え、前記装着部に前記電子機器が装着され、前記係止部材が前記電子機器からの押圧力により前記弾性部材の付勢力に抗って、前記第１の高さより低い第２の高さに押し下げられた状態で、前記取り外し操作部に対する前記スライド操作により前記フック部材を前記ロック位置からアンロック位置にスライド移動させると、前記フック部材と連動する前記フック連動部材がスライド移動して前記フック連動部材の前記爪部と前記係止部材の突起が係止して、前記フック部材をアンロック位置に固定する。
【０００８】
また、実施形態に係るドッキング装置は、電子機器が着脱可能に装着されるドッキング装置であって、本体部と、装着部とを備えている。前記装着部は、前記本体部の一端にヒンジを介して回動可能に取り付けられ、前記電子機器が装着される。また、前記装着部は、前記電子機器の表示面と前記本体部の上面とが対向する閉状態において前記電子機器の前記表示面と反対側の背面と、前記本体部の前記上面と反対側の底面とを接続する支持面を有する。前記支持面は、前記電子機器の表示面と前記本体部の上面とが角度をなす開状態において前記ドッキング装置が載置される載置面に接する面を有する。前記載置面に接する面は、前記開状態において前記ヒンジの回転軸よりも後方に位置している。
【図面の簡単な説明】
【０００９】
【図１】実施形態に係るドッキング装置１と、ドッキング装置１に装着された電子機器２とを有するコンピュータ装置１００の斜視図である。
【図２】ドッキング装置１に装着された電子機器２が開いた状態におけるコンピュータ装置１００の側面図である。
【図３】ドッキング装置１に装着された電子機器２が閉じた状態におけるコンピュータ装置１００の側面図である。
【図４】ドッキング装置１の装着部１２を中心に図２を拡大した拡大側面図である。
【図５】ドッキング装置１の装着部１２の斜視図である。
【図６】（ａ）はヒンジカバーを取り外した状態における装着部１２の左側部分の斜視図であり、（ｂ）は同状態における装着部１２の右側部分の斜視図である。
【図７】（ａ）は電子機器２が装着部１２に装着されていない非装着状態における装着部１２の一部側面図であり、（ｂ）は電子機器２が装着された装着状態において取り外し操作部１８が操作されたときの装着部１２の一部側面図である。
【図８】フック連動部材２３が係止部材２４により係止されている状態を示す上面図である。
【発明を実施するための形態】
【００１０】
以下、実施形態のドッキング装置について図面を参照しながら具体的に説明する。なお、各図において同等の機能を有する構成要素には同一の符号を付し、同一符号の構成要素の詳しい説明は繰り返さない。
【００１１】
（電子機器の転倒防止に係る構造）
本実施形態に係るドッキング装置１について図１〜図４を参照して説明する。図１はドッキング装置１および電子機器２を有するコンピュータ装置１００の斜視図を示している、図２は、ドッキング装置１に装着された電子機器２が開いた状態におけるコンピュータ装置１００の側面図を示している。図３は、ドッキング装置１に装着された電子機器２が閉じた状態におけるコンピュータ装置１００の側面図を示している。図４は、ドッキング装置１の装着部１２を中心に図２を拡大した拡大側面図を示している。
【００１２】
コンピュータ装置１００は、本実施形態に係るドッキング装置１と、ドッキング装置１に装着された電子機器２とを有する。電子機器２は、例えばタブレット端末である。電子機器２は、タッチパネル等の表示面２ａを有する。電子機器２は、ドッキング装置１の装着部１２を介してドッキング装置１に着脱可能に装着される。
【００１３】
ドッキング装置１は、電子機器２が着脱可能に装着されるように構成されており、本体部１１および装着部１２を有する。図１および図２に示すように、本体部１１の上面（操作面）１１ａにはキーボードおよびタッチパッドが設けられており、本体部１１の側面には電源コネクタ１４、通信コネクタ１５、ＵＳＢ（登録商標）コネクタ１６等が設けられている。
【００１４】
また、本体部１１の一端には装着部１２が設けられている。より詳しくは、この装着部１２は、本体部１１の一端にヒンジ２０を介して回動可能に取り付けられている。この装着部１２に電子機器２が装着されるため、電子機器２はドッキング装置１に対して回動させることができる。これにより、例えば、ユーザは表示面２ａに表示された映像が見やすくなるように、電子機器２の角度を調整することが可能である。
【００１５】
なお、図１に示される取り外し操作部（ＥＪＥＣＴボタン）１８はドッキング装置１に装着された電子機器２を取り外す際に用いる。より詳しくは、ユーザが取り外し操作部１８を所定の方向（本実施形態では左方向）にスライドさせることにより、装着部１２のフック部材２１，２２（後述）が電子機器２の係合孔（図示せず）に係合しないアンロック位置にスライド移動し、電子機器２が取り外し可能な状態になる。
【００１６】
取り外し操作部１８は、装着部１２内に設けられた弾性部材（図示せず）の一端に取り付けられている。この弾性部材の付勢力によって、取り外し操作部１８は、ユーザによる操作が加えられないときは元の位置に戻るように構成されている。
【００１７】
装着部１２の外表面の一部を形成する支持面１２ａを有している。この支持面１２ａは、図３に示すように、電子機器２の表示面２ａと本体部１１の上面１１ａとが対向する状態（以下、単に「閉状態」ともいう。）において、電子機器２の表示面２ａと反対側の背面２ｂと、本体部１１の上面１１ａと反対側の底面１１ｂとを接続する。
【００１８】
支持面１２ａは、電子機器２の表示面２ａと本体部１１の上面１１ａとが角度をなす状態（以下、単に「開状態」ともいう。）において載置面７０と接する。
【００１９】
より詳しくは、支持面１２ａは、図２〜図４に示すように、第１の面１２ｂ、第２の面１２ｃおよび第３の面１２ｄを含む。第１の面１２ｂは、電子機器２の装着状態において電子機器２の背面２ｂに接続された面である。第２の面１２ｃは、第１の面１２ｂに接続された面である。第３の面１２ｄは、第２の面１２ｃに接続され、本体部１１の底面１１ｂに接続された面である。
【００２０】
第２の面１２ｃは、閉状態においては、図３に示すように、コンピュータ装置１００の奥側の一側面を形成している。電子機器２を開くと、装着部１２が電子機器２とともにヒンジ２０の回転軸を中心に回動し、図２に示すように、第２の面１２ｃはクッション部材１３（後述）を介して載置面７０に接するようになる。
【００２１】
図４に示すように、載置面７０に接する第２の面１２ｃは、開状態においてヒンジの回転軸Ｌよりも後方に位置している。これにより、開状態における電子機器２の安定性が向上し、電子機器２の転倒が抑制される。また、電子機器２がユーザからタッチ荷重を受けた場合においても、電子機器２が転倒することを抑制することができる。
【００２２】
なお、電子機器２の安定性を向上させるために、第２の面１２ｃ（あるいは後述のクッション部材１３）が全て、開状態において回転軸Ｌよりも後方に位置していることが好ましい。ただし、このことは必須ではなく、第２の面１２ｃのうち少なくとも一部が回転軸Ｌよりも後方に位置するようにしてもよい。
【００２３】
また、電子機器２の表示面２ａと本体部１１の上面１１ａとが所定の角度をなす状態において、第２の面１２ｃが載置面７０とほぼ平行であるようにしてもよい。ここで、所定の角度は、例えば、表示面２ａと上面１１ａのなす角度が最大となる角度（例えば１２０度）であってもよいし、あるいは、ドッキング装置１を操作するユーザにとって電子機器２の表示が最も良く見える角度であってもよい。このようにすることで、所定の（例えば頻度の高い）使用状態において第２の面１２ｃが載置面７０に面で接することになり、載置面７０上に載置されたコンピュータ装置１００の安定性を高めることができる。
【００２４】
また、支持面１２ａの第２の面１２ｃには、図２〜図４に示すように、クッション部材１３が設けられていてもよい。このクッション部材１３は、例えばゴム製またはプラスチック製である。これにより、支持面１２ａが載置面７０と擦れることで傷ついたり、開状態においてドッキング装置１が載置面７０に対して滑ることを抑制することができる。
【００２５】
また、図２に示すように、装着部１２は、開状態において本体部１１の一端（図２中右端）が本体部１１の他端（図２中左端）よりも高くなるように本体部１１を持ち上げるように構成されてもよい。即ち、装着部１２は、開状態においてチルトスタンドとなるように構成されてもよい。これにより、本体部１１の上面１１ａが載置面７０に対して角度を有することとなり、キーボードを介した文字入力などを容易にすることができる。
【００２６】
上記のように、装着部１２の支持面１２ａのうち開状態において載置面７０に接する第２の面１２ｃがヒンジの回転軸Ｌよりも後方に位置している。このため、本実施形態によれば、開状態における電子機器２の安定性を向上させ、電子機器２の転倒を抑制することができる。また、電子機器２の表示面２ａがユーザによりタッチされタッチ荷重を受けた場合にも、電子機器２が転倒することを抑制することができる。
【００２７】
さらに、本実施形態によれば、ドッキング装置に装着された電子機器２を安定化させるためにスタンド等の大きな付属物を設ける必要がない。このため、コンピュータ装置１００の薄型化および省スペース化を妨げることなく、電子機器２の転倒を抑制することができる。
【００２８】
（電子機器の取り外し容易化に係る構造）
次に、図５〜図８を参照して、ドッキング装置１の装着部１２の構成について詳しく説明する。
【００２９】
図５は、ドッキング装置１の装着部１２の斜視図を示している。図５に示すように、装着部１２の装着面１２ｅ（ヒンジカバーの上面に相当）には、フック部材２１，２２と、係止部材（ＥＪＥＣＴサポートピン）２４，２５と、ガイドピン部材２６，２７と、ヒンジカバー固定用のネジ２８と、コネクタ２９とが設けられている。
【００３０】
図５に示すように、フック部材２１とフック部材２２、係止部材２４と係止部材２５、ガイドピン部材２６とガイドピン部材２７はそれぞれ、装着面１２ｅの中央部に対してほぼ対称に設けられている。
【００３１】
係止部材２４と係止部材２５が装着面１２ｅの中央部に対してほぼ対称に設けられていることにより、ドッキング装置１から電子機器２を取り外す際に、電子機器２が装着面１２ｅに対してほぼ平行に持ち上がり、電子機器２の取り外しが容易になる。
【００３２】
また、係止部材２４および係止部材２５は、図５に示すように、フック部材２１およびフック部材２２よりも装着部１２の端側に配置されていてもよい。これにより、ドッキング装置１から電子機器２を取り外す際に、電子機器２が装着面１２ｅに対して平行に持ち上がり易くなり、電子機器２の取り外しがさらに容易になる。
【００３３】
フック部材２１，２２は、電子機器２の側面に設けられた係合孔（図示せず）に係合することで電子機器２をドッキング装置１に固定するための部材である。フック部材２１およびフック部材２２は、取り外し操作部１８と連動して装着部１２の長手方向にスライド移動する。より詳しくは、フック部材２１，２２は、取り外し操作部１８に対する操作により、電子機器２の係合孔に係合するロック位置から当該係合孔に係合しないアンロック位置にスライド移動する。なお、電子機器２の係合孔は、電子機器２が装着部１２に装着されたときに装着面１２ｅと対向する側面に設けられている。係合孔は、フック部材２１，２２に対応して電子機器２の側面に２箇所設けられている。
【００３４】
前述のように取り外し操作部１８は、操作が加えられないときは弾性部材の付勢力により元の位置に戻るように構成されている。このため、取り外し操作部１８が操作されていないとき、フック部材２１，２２はロック位置にある。
【００３５】
取り外し操作部１８に対する操作により取り外し操作部１８は所定の方向（本実施形態では装着部１２の長手方向）にスライド移動し、フック部材２１，２２は取り外し操作部１８に連動して当該方向にスライド移動する。
【００３６】
係止部材２４は、電子機器２がドッキング装置１に装着された状態において取り外し操作部１８が操作されたときに、後述のフック連動部材２３を係止し、フック部材２１，２２をアンロック位置に固定するための部材である。
【００３７】
なお、係止部材２５については、フック連動部材２３を係止しない。しかし、電子機器２の取り外す際、係止部材２５は、係止部材２４とともに、係止部材２５に取り付けられた弾性部材の付勢力により電子機器２を押し上げる。このため、ドッキング装置１から電子機器２を取り外すことが容易になる。
【００３８】
図５に示すように、係止部材２４，２５は、電子機器２がドッキング装置１に装着されていない状態において、圧縮スプリング等の弾性部材（図示せず）の付勢力により装着面１２ｅから上部が突出するように設けられている。電子機器２の装着時においては、係止部材２４，２５は電子機器２の側面に当接して押し下げられる。
【００３９】
ガイドピン部材２６，２７は、電子機器２の装着時において電子機器２の側面に設けられたガイドピン挿入孔（図示せず）内に挿入され、ドッキング装置１に装着された電子機器２を支持するための部材である。ガイドピン部材２６は、図５に示すように、フック部材２１と係止部材２４との間における装着面１２ｅから突設されている。また、ガイドピン部材２７は、フック部材２２と係止部材２５との間における装着面１２ｅから突設されている。
【００４０】
コネクタ２９は、電子機器２の装着時において電子機器２の側面に設けられたコネクタ（図示せず）に電気的に接続され、ドッキング装置１および電子機器２間でやりとりされる制御信号や電力を伝達する。
【００４１】
次に、装着部１２の内部構成について図６（ａ），（ｂ）を参照して説明する。図６（ａ）は、ヒンジカバーを取り外した状態における装着部１２の左側部分の斜視図を示し、図６（ｂ）は同状態における装着部１２の右側部分の斜視図を示している。
【００４２】
図６（ａ）に示すように、装着部１２内には、フック連動部材（フックホルダ）２３が設けられている。このフック連動部材２３は、一端がフック部材２１に連結点Ａにおいて接続され（図７（ａ），（ｂ）参照）、フック部材２１と連動するように設けられている。また、フック連動部材２３の他端には爪部２３ａが設けられている。この爪部２３ａは、係止部材２４の側面から突出するように設けられた突起部２４ａと係合可能な形状を有する。
【００４３】
なお、図６（ｂ）に示すように、装着部１２の右側の係止部材２５にも突起部２５ａが設けられている。この突起部２５ａは、フック連動部材２３と係合しない。よって、係止部材２５には突起部２５ａが設けられなくともよいが、係止部材２４と同じ形状の部品を使用することで部品点数の増加を抑えることができる。
【００４４】
次に、電子機器２の装着時および取り外し時における装着部１２の動作について図７（ａ），（ｂ）および図８を参照して説明する。図７（ａ）は、電子機器２が装着部１２に装着されていない非装着状態における装着部１２の一部側面図である。図７（ｂ）は、電子機器２（図示せず）が装着された装着状態において取り外し操作部１８が操作されたときの装着部１２の一部側面図である。図８は、フック連動部材２３が係止部材２４により係止されている状態を示す上面図である。
【００４５】
図７（ａ）に示すように、電子機器２が装着部１２に装着されていない非装着状態では、フック部材２１はロック位置にあり、係止部材２４は弾性部材（図示せず）により上側に押し上げられている。換言すれば、係止部材２４は、電子機器２がドッキング装置１に装着されていないとき、弾性部材の付勢力により、フック連動部材２３を係止しない高さ（第１の高さ）まで押し上げられ、装着面１２ｅから突出している。図７（ａ）に示すように、電子機器２の非装着状態において係止部材２４の突起部２４ａは、フック連動部材２３の爪部２３ａよりも上側に位置しており、爪部２３ａと係合することができない。
【００４６】
一方、図７（ｂ）に示すように、電子機器２が装着部１２に装着された装着状態では、係止部材２４は電子機器２に当接して押し下げられ、突起部２４ａが爪部２３ａと同じ高さになるため、突起部２４ａは爪部２３ａと係合可能である。このように、電子機器２がドッキング装置１に装着されると、係止部材２４は、電子機器２からの押圧力により弾性部材の付勢力に抗って、フック連動部材２３を係止可能な位置（第２の高さ）まで押し下げられる。
【００４７】
電子機器２の装着状態において、取り外し操作部１８に対する操作によりフック部材２１，２２がロック位置からアンロック位置にスライド移動すると、フック連動部材２３は、フック部材２１，２２と連動し、図８に示すように係止部材２４に係止される。より詳しくは、係止部材２４が第２の高さにあるとき、フック連動部材２３が係止部材２４の方向にスライド移動して、フック連動部材２３の爪部２３ａと、係止部材２４の突起部２４ａとが係合することにより、フック連動部材２３は係止部材２４に係止される。
【００４８】
フック連動部材２３が係止部材２４に係止されることにより、フック部材２１，２２はアンロック位置に固定される。よって、ユーザが取り外し操作部１８に対する操作を解除しても、フック部材２１，２２は元のロック位置に戻らない。このため、ユーザは、ドッキング装置１から電子機器２を容易に取り外すことができる。
【００４９】
次に、電子機器２をドッキング装置１から取り外す場合の動作について説明する。電子機器２をドッキング装置１から取り外すと、係止部材２４が弾性部材の付勢力により第２の高さから第１の高さに押し上げられる。それにより、フック連動部材２３は係止部材２４に係止されなくなり、フック部材２１はロック位置に戻る。
【００５０】
上記のように、本実施形態に係るドッキング装置１では、電子機器２の装着状態において、係止部材２４は突起部２４ａがフック連動部材２３と係合可能な高さ（第２の高さ）まで押し下げられる。このため、取り外し操作部１８に対する操作によりフック部材２１，２２がロック位置からアンロック位置にスライド移動すると、フック連動部材２３はフック部材２１，２２と連動してスライド移動し係止部材２４に係止される。これにより、フック部材２１，２２はアンロック位置に固定される。このため、ユーザが取り外し操作部１８に対する操作を解除しても、フック部材２１，２２は元のロック位置に戻らない。よって、本実施形態によれば、ユーザはドッキング装置１から電子機器２を容易に取り外すことができる。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１  ドッキング装置
２  電子機器
２ａ  表示面
２ｂ  背面
１１  本体部
１１ａ  上面
１１ｂ  底面
１２  装着部
１２ａ  支持面
１２ｂ  第１の面
１２ｃ  第２の面
１２ｄ  第３の面
１２ｅ  装着面
１３  クッション部材
１４  電源コネクタ
１５  通信コネクタ
１６  ＵＳＢコネクタ
１８  取り外し操作部
２０  ヒンジ
２１，２２  フック部材
２３  フック連動部材
２３ａ  爪部
２４，２５  係止部材
２４ａ，２５ａ  突起部
２６，２７  ガイドピン部材
２８  ネジ（ヒンジカバー固定用）
２９  コネクタ
７０  載置面
１００  コンピュータ装置
Ａ  連結点
Ｌ  回転軸
【図１】
0006352735.tif 000002
【図２】
0006352735.tif 000003
【図３】
0006352735.tif 000004
【図４】
0006352735.tif 000005
【図５】
0006352735.tif 000006
【図６】
0006352735.tif 000007
【図７】
0006352735.tif 000008
【図８】
0006352735.tif 000009